(57)【要約】【課題】  本発明の課題は、当りくじを含んだ二次元コードくじの束から、選んだ二次元コードくじを、携帯電話で撮影して応募することで、アミューズメント性を高めて、応募率を向上させる二次元コードくじ抽選方法を提供することである。【解決手段】  懸賞主催者サーバ装置では、応募者からの応募を受付けて、応募情報を送信して、コード表示端末装置では、受信した応募情報と当落コードとを組合せて二次元コード動画を生成・表示再生して、応募者は、懸賞応募者端末装置を使って、この再生された二次元コード動画を、任意のタイミングで、撮影して、二次元コードから復号された当落コードを含む応募リクエストを、送信して、懸賞主催者サーバ装置では、前記応募リクエストを受信して、当落を判定して、抽選結果を作成・送信して、懸賞応募者端末装置では、抽選結果を受信して、表示する、二次元コードを利用した抽選システムである。【選択図】  図１
2006106913.tif 000002
【特許請求の範囲】
【請求項１】
応募先ネットワークアドレスを含んだ応募情報と、当選落選を決定する一つの当落コードとを含んで構成される懸賞情報を二次元コード画像化することを繰り返して、異なる一定数の当落コードに応じて複数の二次元コード画像を作成し、さらにそれらをまとめて一つの動画データを作成する動画データ作成ステップ、
作成した二次元コード動画データをコード表示端末装置に送信する動画データ送信ステップ、
コード表示端末装置が、受信した二次元コード動画データを表示する動画データ表示ステップ、
表示された二次元コード動画を、応募者が、任意のタイミングで懸賞応募者端末装置により撮影し、二次元コードを復号して、復号された当落コードを含む応募リクエストを復号された応募先ネットワークアドレスに送信する応募リクエスト送信ステップ、
応募リクエストを受け付けて、当落を判定して抽選する抽選ステップ、
抽選結果を結果通知として懸賞応募者端末装置に返信する抽選結果通知ステップ、
を含んだ手順でなされる二次元コードを利用した抽選方法。
【請求項２】
応募先ネットワークアドレスを含んだ応募情報をコード表示端末装置に送信する応募情報送信ステップ、
コード表示端末装置が応募情報を受け付け、当選落選を決定する複数の当落コードを生成する当落コード生成ステップ、
コード表示端末装置が、一つの当落コードと、前記応募情報とを含んで構成される懸賞情報を二次元コード画像化することを繰り返して、生成した当落コードに応じて複数の二次元コード画像を作成し、さらにそれらをまとめて一つの動画データを作成する動画データ作成ステップ、
コード表示端末装置が作成した二次元コード動画データを表示する動画データ表示ステップ、
表示された二次元コード動画を、応募者が、任意のタイミングで懸賞応募者端末装置により撮影し、二次元コードを復号して、復号された当落コードを含む応募リクエストを復号された応募先ネットワークアドレスに送信する応募リクエスト送信ステップ、
応募リクエストを受け付けて、当落を判定して抽選する抽選ステップ、
抽選結果を結果情報として懸賞応募者端末装置に返信する抽選結果通知ステップ、
を含んだ手順でなされる二次元コードを利用した抽選方法。
【請求項３】
前記応募情報を、応募情報自体を一意に識別する応募識別記号を含んで構成し、懸賞応募者には懸賞応募時にこの応募識別記号を含んだ応募リクエストを発行させることで、応募リクエストがどの応募情報から由来したものか特定可能としたことを特徴とする請求項１、または、請求項２に記載の二次元コードを利用した抽選方法。
【請求項４】
前記応募情報を、応募情報自体を一意に識別する応募識別記号を含んで構成し、個々の応募情報発生時に、各々の応募識別記号を有効な応募識別記号として記録しておき、懸賞応募者には懸賞応募時にこの応募識別記号を含んだ応募リクエストを発行させることで、応募リクエストがどの応募情報から由来したものか特定可能とし、同一の応募識別記号からの応募リクエストを計数可能とすることにより、一の応募情報による懸賞応募回数を制限させることを可能としたことを特徴とする請求項１、または、請求項２に記載の二次元コードを利用した抽選方法。
【請求項５】
前記動画データ作成ステップは、前記当落コードを、適当な暗号方法により暗号化された上で二次元コード画像化して、
前記抽選ステップは、暗号化された前記当落コードの復号を行うことを含んだ手順でなされることを特徴とする請求項１から、請求項４のいずれか一項に記載の二次元コードを利用した抽選方法。
【請求項６】
当選落選を決定する一つの当落コードと、応募先ネットワークアドレスと、から懸賞情報を作成し、これを二次元コード画像化することを繰り返して、異なる一定数の当落コードに応じて複数の二次元コード画像を作成し、さらにそれらをまとめて一つの動画データを作成する動画データ作成ステップ、
作成した二次元コード動画データを表示する動画データ表示ステップ、
表示された二次元コード動画を応募者が任意のタイミングで懸賞応募者端末装置により撮影し、二次元コードを復号して、復号された当落コードを含む応募リクエストを復号された応募先ネットワークアドレスに送信する応募リクエスト送信ステップ、
を含んだ手順でなされることにより、応募者自身の主体的選択により応募者が当該懸賞応募に関する当落コードを選択できるようにしたことを特徴とするネットワークを用いた抽選方法。
【請求項７】
懸賞主催者サーバ装置は、コード表示端末装置と懸賞応募者端末装置と、ネットワーク接続されている二次元コードを利用した抽選システムにおいて、
前記懸賞主催者サーバ装置は、
応募通知を受付けて、懸賞応募先ネットワークアドレスを含んで構成される応募情報を発行する応募情報発行手段と、
当選落選を決定する一つの当落コードと前記応募情報とから一つの懸賞情報を構成し、この懸賞情報を二次元コード画像化することを繰り返して、異なる一定数の当落コードに応じて複数の二次元コード画像を作成し、さらにそれらをまとめて一つの動画データを作成する二次元コード動画作成手段と、
前記作成した二次元コード動画データをコード表示端末装置に送信する二次元コード動画送信手段と、
懸賞応募者端末装置から応募リクエストを受け付けて、当落を判定して、抽選結果を作成する抽選手段と、
前記抽選結果を結果通知として懸賞応募者端末装置に返信する抽選結果返信手段と、
を備えた懸賞主催者サーバ装置であって、
前記コード表示端末装置は、
応募者が、応募通知する応募通知手段と、
前記二次元コード動画を再生表示する二次元コード動画再生手段と、
を備えたコード表示端末装置であって、
前記懸賞応募者端末装置は、
前記再生表示された二次元コード動画を、任意のタイミングで、撮影する二次元コード撮影手段と、
撮影した二次元コードを解析して、応募情報と当落コードに復号する二次元コード解析手段と、
復号された当落コードを含む応募リクエストを、復号された懸賞応募先ネットワークアドレスに、送信する懸賞情報送信手段と、
前記抽選結果を受信して、表示する抽選結果受信手段と、
を備えた懸賞応募者端末装置である、
二次元コードを利用した抽選システム。
【請求項８】
懸賞主催者サーバ装置は、コード表示端末装置と懸賞応募者端末装置と、ネットワーク接続されている二次元コードを利用した抽選システムにおいて、
前記懸賞主催者サーバ装置は、
応募通知を受付けて、懸賞応募先ネットワークアドレスを含んで構成される応募情報を発行する応募情報発行手段と、
懸賞応募者端末装置から応募リクエストを受け付けて、当落を判定して、抽選結果を作成する抽選手段と、
前記抽選結果を結果情報として懸賞応募者端末装置に返信する抽選結果返信手段と、
を備えた懸賞主催者サーバ装置であって、
前記コード表示端末装置は、
応募者が、応募通知する応募通知手段と、
応募情報を受け付け、当選落選を決定する複数の当落コードを生成して、その内の一つの当落コードと、懸賞応募先ネットワークアドレスを含んで構成される応募情報とを含んで構成される懸賞情報を二次元コード画像化することを繰り返して、生成した当落コードに応じて複数の二次元コード画像を作成し、さらにそれらをまとめて一つの動画データを作成する二次元コード動画作成手段と、
前記作成した二次元コード動画データを再生表示する二次元コード動画再生手段と、
を備えたコード表示端末装置であって、
前記懸賞応募者端末装置は、
前記再生された二次元コード動画を、任意のタイミングで、撮影する二次元コード撮影手段と、
撮影した二次元コードを解析して、応募情報と当落コードに復号する二次元コード解析手段と、
復号された当落コードを含む応募リクエストを、復号された懸賞応募先ネットワークアドレスに、送信する懸賞情報送信手段と、
前記抽選結果を受信して、表示する抽選結果受信手段と、
を備えた懸賞応募者端末装置である、
二次元コードを利用した抽選システム。
【請求項９】
前記応募情報は、懸賞応募先ネットワークアドレスと応募情報を一意に識別する応募識別記号とを含んで構成されていて、
前記懸賞主催者サーバ装置は、
前記応募識別記号あるいは前記応募識別記号とその状態情報を一組にしたレコードを記録する応募情報データベースと、
応募情報データベースに記録される応募識別記号を削除するかまたは応募識別記号の状態情報を更新する応募情報データベース更新手段と、
前記懸賞応募者端末装置から送付される応募リクエストに含まれる前記応募識別記号を抽出して前記応募情報データベースと照合して、いずれの応募情報から由来する応募リクエストかを特定してその状態情報により有効な応募かどうかを判別する重複応募防止手段を備えるものであって、
前記懸賞主催者サーバ装置の前記抽選手段は、前記重複応募防止手段が有効な応募と判別したときのみ有効な応募識別記号の当落コードを判定して、抽選結果を作成するものであって、
前記懸賞応募者端末装置の懸賞情報送信手段は、
復号された当落コードと応募識別記号を含む応募リクエストを、復号された懸賞応募先ネットワークアドレスに、送信するものである
ことを特徴とする請求項７、または、請求項８に記載の二次元コードを利用した抽選システム。
【請求項１０】
前記応募情報の状態情報は、その応募情報から由来する応募リクエストを受付けた回数を表す情報であって、前記重複応募防止手段は、状態情報が所定の回数以下である場合のみ有効な応募と判定するよう構成された
ことを特徴とする請求項７、または、請求項８に記載の二次元コードを利用した抽選システム。
【請求項１１】
前記二次元コード動画生成手段は、抽選に用いる当落コードを暗号化して、前記抽選手段は、暗号化された当落コードを復号することを特徴とする請求項７から、請求項１０のいずれか一項に記載の二次元コードを利用した抽選システム。
【請求項１２】
前記抽選手段は、応募リクエストに含まれる当落コードを使って、当選の当落コードで構成される当落判定情報データベースを参照して、当落を判定して、抽選結果を作成することを特徴とする請求項７から、請求項１１のいずれか一項に記載の二次元コードを利用した抽選システム。
【請求項１３】
前記応募情報発行手段は、懸賞主催者サーバ装置の代わりに、コード表示端末装置に備えられることを特徴とする請求項８に記載の二次元コードを利用した抽選システム。
【請求項１４】
コンピュータに組込むことによって、コンピュータを請求項７から請求項１３のいずれか一項に記載の二次元コードを利用した抽選システムとして動作させるコンピュータプログラム。
r 2セ8c;Courier New;
【発明の詳細な説明】
【技術分野】
【０００１】
本発明は、抽選に応募する籤（くじ）を応募者が選べることで、応募の動機付けを高めた二次元コードを利用した抽選方法、および、システムに関するものである。
【背景技術】
【０００２】
商品の拡販や消費者分析等を目的として、メーカーや商社では、各種の懸賞が実施されている。その一例として、商品や、街頭の広告、ＴＶやパソコンのディスプレーに表示される二次元コードを、携帯電話に実装されている電子カメラやスキャナで読み取り、解析ソフトウェアで応募先のネットワークアドレスや応募情報を取り出して、送信することで、懸賞に応募するという方法がある。
【０００３】
たとえば、特許文献１には、応募者にとっては煩わしさを意識せずに応募する方法を提供する技術が開示されている。この技術は、懸賞応募シールに予め、バーコードを印刷しておき、バーコード・リーダーで読み込ませて、当落を判定するものである。
【特許文献１】特開２００３−１４１２９７号公報（２〜１２頁、図１〜３６）
【発明の開示】
【発明が解決しようとする課題】
【０００４】
しかしながら、従来の技術では、サーバ側で当落が決定するというシステムであり、ユーザ主導で、抽選を行うことができない。従って、ユーザが抽選に参加しているという意識が低く、アミューズメント性が低いために、応募者の興味が高まらずに、主催者側の思惑とは別に、参加率が高まらないという悩みがあった。
【０００５】
本発明は、このような従来技術を考慮してなされたものであって、本発明の課題は、ユーザに表示する二次元コードくじを、時間の経過と共に変化させて、応募者が所望する、任意のタイミングで選択して、撮影したものを応募することで、応募者にくじを選択する機会を提供して、アミューズメント性を高めて、応募率を向上することを目的とする二次元コードを利用した抽選システムを提供することである。
【課題を解決するための手段】
【０００６】
本発明は、以下のような解決手段により、前記課題を解決する。すなわち、請求項１に記載の発明は、応募先ネットワークアドレス（たとえば、応募先ＵＲＬ）を含んだ応募情報と、当選落選を決定する一つの当落コード（たとえば、抽選番号）とを含んで構成される懸賞情報を二次元コード画像化することを繰り返して、異なる一定数の当落コードに応じて複数の二次元コード画像を作成し、さらにそれらをまとめて一つの動画データを作成する動画データ作成ステップ、作成した二次元コード動画データをコード表示端末装置に送信する動画データ送信ステップ、コード表示端末装置が、受信した二次元コード動画データを表示する動画データ表示ステップ、表示された二次元コード動画を、応募者が、任意のタイミングで懸賞応募者端末装置により撮影し、二次元コードを復号して、復号された当落コードを含む応募リクエストを復号された応募先ネットワークアドレスに送信する応募リクエスト送信ステップ、応募リクエストを受け付けて、当落を判定して抽選する抽選ステップ、抽選結果を結果通知として懸賞応募者端末装置に返信する抽選結果通知ステップ、を含んだ手順でなされる二次元コードを利用した抽選方法である。
【０００７】
請求項２に記載の発明は、応募先ネットワークアドレスを含んだ応募情報をコード表示端末装置に送信する第７ステップ、コード表示端末装置が応募情報を受け付け、当選落選を決定する複数の当落コードを生成する第８ステップ、コード表示端末装置が、一つの当落コードと、前記応募情報とを含んで構成される懸賞情報を二次元コード画像化することを繰り返して、生成した当落コードに応じて複数の二次元コード画像を作成し、さらにそれらをまとめて一つの動画データを作成する動画データ作成ステップ、コード表示端末装置が作成した二次元コード動画データを表示する動画データ表示ステップ、表示された二次元コード動画を、応募者が、任意のタイミングで懸賞応募者端末装置により撮影し、二次元コードを復号して、復号された当落コードを含む応募リクエストを復号された応募先ネットワークアドレスに送信する応募リクエスト送信ステップ、応募リクエストを受け付けて、当落を判定して抽選する抽選ステップ、抽選結果を結果情報として懸賞応募者端末装置に返信する抽選結果通知ステップ、を含んだ手順でなされる二次元コードを利用した抽選方法である。
【０００８】
請求項３に記載の発明は、前記応募情報を、応募情報自体を一意に識別する応募識別記号（たとえば、応募ＩＤ）を含んで構成し、懸賞応募者には懸賞応募時にこの応募識別記号を含んだ応募リクエストを発行させることで、応募リクエストがどの応募情報から由来したものか特定可能としたことを特徴とする請求項１、または、請求項２に記載の二次元コードを利用した抽選方法である。
【０００９】
請求項４に記載の発明は、前記応募情報を、応募情報自体を一意に識別する応募識別記号を含んで構成し、個々の応募情報発生時に、各々の応募識別記号を有効な応募識別記号として記録しておき、懸賞応募者には懸賞応募時にこの応募識別記号を含んだ応募リクエストを発行させることで、応募リクエストがどの応募情報から由来したものか特定可能とし、同一の応募識別記号からの応募リクエストを計数可能とすることにより、一の応募情報による懸賞応募回数を制限させることを可能としたことを特徴とする請求項１、または、請求項２に記載の二次元コードを利用した抽選方法である。
【００１０】
請求項５に記載の発明は、前記動画データ作成ステップは、前記当落コードを、適当な暗号方法により暗号化された上で二次元コード画像化して、前記抽選ステップは、暗号化された前記当落コードの復号を行うことを含んだ手順でなされることを特徴とする請求項１から、請求項４のいずれか一項に記載の二次元コードを利用した抽選方法である。
【００１１】
請求項６に記載の発明は、当選落選を決定する一つの当落コードと、応募先ネットワークアドレスと、から懸賞情報を作成し、これを二次元コード画像化することを繰り返して、異なる一定数の当落コードに応じて複数の二次元コード画像を作成し、さらにそれらをまとめて一つの動画データを作成する動画データ作成ステップ、作成した二次元コード動画データを表示する動画データ表示ステップ、表示された二次元コード動画を応募者が任意のタイミングで懸賞応募者端末装置により撮影し、二次元コードを復号して、復号された当落コードを含む応募リクエストを復号された応募先ネットワークアドレスに送信する応募リクエスト送信ステップ、を含んだ手順でなされることにより、応募者自身の主体的選択により応募者が当該懸賞応募に関する当落コードを選択できるようにしたことを特徴とするネットワークを用いた抽選方法である。
【００１２】
請求項７に記載の発明は、懸賞主催者サーバ装置は、コード表示端末装置と懸賞応募者端末装置と、ネットワーク接続されている二次元コードを利用した抽選システムにおいて、前記懸賞主催者サーバ装置は、応募通知を受付けて、懸賞応募先ネットワークアドレスを含んで構成される応募情報を発行する応募情報発行手段と、当選落選を決定する一つの当落コードと前記応募情報とから一つの懸賞情報を構成し、この懸賞情報を二次元コード画像化することを繰り返して、異なる一定数の当落コードに応じて複数の二次元コード画像を作成し、さらにそれらをまとめて一つの動画データを作成する二次元コード動画作成手段と、前記作成した二次元コード動画データをコード表示端末装置に送信する二次元コード動画送信手段と、懸賞応募者端末装置から応募リクエストを受け付けて、当落を判定して、抽選結果を作成する抽選手段と、前記抽選結果を結果通知として懸賞応募者端末装置に返信する抽選結果返信手段と、を備えた懸賞主催者サーバ装置であって、前記コード表示端末装置は、応募者が、応募通知する応募通知手段と、前記二次元コード動画を再生表示する二次元コード動画再生手段と、を備えたコード表示端末装置であって、前記懸賞応募者端末装置は、前記再生表示された二次元コード動画を、任意のタイミングで、撮影する二次元コード撮影手段と、撮影した二次元コードを解析して、応募情報と当落コードに復号する二次元コード解析手段と、復号された当落コードを含む応募リクエストを、復号された懸賞応募先ネットワークアドレスに、送信する懸賞情報送信手段と、前記抽選結果を受信して、表示する抽選結果受信手段と、を備えた懸賞応募者端末装置である、二次元コードを利用した抽選システムである。
【００１３】
請求項８に記載の発明は、懸賞主催者サーバ装置は、コード表示端末装置と懸賞応募者端末装置と、ネットワーク接続されている二次元コードを利用した抽選システムにおいて、前記懸賞主催者サーバ装置は、応募通知を受付けて、懸賞応募先ネットワークアドレスを含んで構成される応募情報を発行する応募情報発行手段と、懸賞応募者端末装置から応募リクエストを受け付けて、当落を判定して、抽選結果を作成する抽選手段と、前記抽選結果を結果情報として懸賞応募者端末装置に返信する抽選結果返信手段と、を備えた懸賞主催者サーバ装置であって、前記コード表示端末装置は、応募者が、応募通知する応募通知手段と、応募情報を受け付け、当選落選を決定する複数の当落コードを生成して、その内の一つの当落コードと、懸賞応募先ネットワークアドレスを含んで構成される応募情報とを含んで構成される懸賞情報を二次元コード画像化することを繰り返して、生成した当落コードに応じて複数の二次元コード画像を作成し、さらにそれらをまとめて一つの動画データを作成する二次元コード動画作成手段と、前記作成した二次元コード動画データを再生表示する二次元コード動画再生手段と、を備えたコード表示端末装置であって、前記懸賞応募者端末装置は、前記再生された二次元コード動画を、任意のタイミングで、撮影する二次元コード撮影手段と、撮影した二次元コードを解析して、応募情報と当落コードに復号する二次元コード解析手段と、復号された当落コードを含む応募リクエストを、復号された懸賞応募先ネットワークアドレスに、送信する懸賞情報送信手段と、前記抽選結果を受信して、表示する抽選結果受信手段と、を備えた懸賞応募者端末装置である、二次元コードを利用した抽選システムである。
【００１４】
請求項９に記載の発明は、前記応募情報は、懸賞応募先ネットワークアドレスと応募情報を一意に識別する応募識別記号とを含んで構成されていて、前記懸賞主催者サーバ装置は、前記応募識別記号あるいは前記応募識別記号とその状態情報を一組にしたレコードを記録する応募情報データベースと、応募情報データベースに記録される応募識別記号を削除するかまたは応募識別記号の状態情報を更新する応募情報データベース更新手段と、前記懸賞応募者端末装置から送付される応募リクエストに含まれる前記応募識別記号を抽出して前記応募情報データベースと照合して、いずれの応募情報から由来する応募リクエストかを特定してその状態情報により有効な応募かどうかを判別する重複応募防止手段を備えるものであって、前記懸賞主催者サーバ装置の前記抽選手段は、前記重複応募防止手段が有効な応募と判別したときのみ有効な応募識別記号の当落コードを判定して、抽選結果を作成するものであって、前記懸賞応募者端末装置の懸賞情報送信手段は、復号された当落コードと応募識別記号を含む応募リクエストを、復号された懸賞応募先ネットワークアドレスに、送信するものであることを特徴とする請求項７、または、請求項８に記載の二次元コードを利用した抽選システムである。
【００１５】
請求項１０に記載の発明は、前記応募情報の状態情報は、その応募情報から由来する応募リクエストを受付けた回数を表す情報であって、前記重複応募防止手段は、状態情報が所定の回数以下である場合のみ有効な応募と判定するよう構成されたことを特徴とする請求項７、または、請求項８に記載の二次元コードを利用した抽選システムである。
【００１６】
請求項１１に記載の発明は、前記二次元コード動画生成手段は、抽選に用いる当落コードを暗号化して、前記抽選手段は、暗号化された当落コードを復号することを特徴とする請求項７から、請求項１０のいずれか一項に記載の二次元コードを利用した抽選システムである。
【００１７】
請求項１２に記載の発明は、前記抽選手段は、応募リクエストに含まれる当落コードを使って、当選の当落コードで構成される当落判定情報データベースを参照して、当落を判定して、抽選結果を作成することを特徴とする請求項７から、請求項１１のいずれか一項に記載の二次元コードを利用した抽選システムである。
【００１８】
請求項１３に記載の発明は、前記応募情報発行手段は、懸賞主催者サーバ装置の代わりに、コード表示端末装置に備えられることを特徴とする請求項８に記載の二次元コードを利用した抽選システムである。
【００１９】
請求項１４に記載の発明は、コンピュータに組込むことによって、コンピュータを請求項７から請求項１３のいずれか一項に記載の二次元コードを利用した抽選システムとして動作させるコンピュータプログラムである。
【発明の効果】
【００２０】
本願発明によれば、懸賞への応募に当っては、二次元コードくじの束の中から、抽選に応募する籤（くじ）を応募者が選べることで、応募の動機付けを高めて、応募率を向上することで、商品の販売促進や消費者分析の情報収集に寄与することが出来た。
【発明を実施するための最良の形態】
【００２１】
二次元コード動画のデータと応募ＩＤを作成するための方法には、次の２種類の構成が考えられる。方法１は、二次元コード動画のデータと応募先ネットワークアドレス（たとえば、応募先ＵＲＬ）の作成を、懸賞主催者サーバ装置で行う場合である。方法２は、両者の作成を、懸賞主催者サーバ装置とコード表示端末装置で分担する場合である。
【００２２】
（方法１）
図１８は、本発明による方法１のフローチャート（懸賞主催者サーバで二次元コード動画を生成する場合）である。
（１）動画データ作成ステップでは、懸賞主催者サーバ装置が、応募先ネットワークアド  レス（たとえば、応募先ＵＲＬ）と応募識別記号（たとえば、応募ＩＤ）と抽選に用い  る当落コードを含む懸賞情報から、二次元コード動画データを作成する。（ステップＳ  ８０）
（２）動画データ作成ステップでは、懸賞主催者サーバ装置が、応募ＩＤの状態情報を“  有効”にして、保存する。（ステップＳ８１）
（３）動画データ送信ステップでは、前記懸賞主催者サーバ装置が、二次元コード動画デ  ータを、コード表示端末装置に送信する。（ステップＳ８２）
（４）動画データ表示ステップでは、前記コード表示端末装置が、二次元コード動画を表  示する。（ステップＳ８３）
（５）応募リクエスト送信ステップでは、応募者が、前記二次元コード動画を撮影して、  懸賞応募者端末装置が、二次元コードから前記懸賞情報を復号して、当落コードと応募  ＩＤを含む応募リクエストを、応募先ＵＲＬに、送信する。（ステップＳ８４）
（６）抽選ステップでは、前記懸賞主催者サーバ装置が、前記応募リクエストに含まれる  応募ＩＤと、状態情報が“有効”“な保存された応募ＩＤとが一致することで、重複応  募していないと判定する。（ステップＳ８５）
（７）抽選ステップでは、前記懸賞主催者サーバ装置が、前記応募リクエストに含まれる  当落コードを抽選する。（ステップＳ８６）
（８）抽選結果通知ステップでは、前記懸賞主催者サーバ装置が、抽選結果を通知する。  （ステップＳ８７）
（９）抽選ステップでは、前記懸賞主催者サーバ装置が、前記保存された応募ＩＤの状態  情報を“有効”から、“無効”に切り替えて、更新する。（ステップＳ８８）
【００２３】
ここで、応募ＩＤは、他の応募ＩＤと重複しない唯一の文字記号列である。
【００２４】
なお、（９）において、状態情報を“有効”から、“無効”に切り替える代わりに、抽選済みの応募ＩＤを、削除しても良い。
【００２５】
また、応募ＩＤを含まない応募情報で、二次元コードを作成しても良く、その時は、（２）と（６）と（９）は、スキップする。
【００２６】
（方法２）
図１９は、本発明による方法２のフローチャート（懸賞主催者サーバで二次元コード動画を生成する場合）である。
（１）応募情報送信ステップでは、懸賞主催者サーバ装置が、応募先ＵＲＬと応募ＩＤと  を含んで構成されている応募情報を、表示端末装置に送信する。（ステップＳ９０）
（２）は、図１８と同じである。
（３）当落コード生成ステップでは、コード表示端末装置が、前記応募情報と抽選に用い  る当落コードを含む懸賞情報から、二次元コード動画データを作成する。（ステップＳ  ９２）
（４）から（９）は、図１８と同じである。
【００２７】
なお、（９）において、状態情報を“有効”から、“無効”に切り替える代わりに、抽選済みの応募ＩＤを、削除しても良いことは、図１８と同様である。
【００２８】
また、応募ＩＤを含まない応募情報で、二次元コードを作成しても良く、その時は、（２）と（６）と（９）は、スキップできることは、図１８と同様である。
【００２９】
二次元コード動画のデータと応募ＩＤを作成するための装置構成には、次の３種類のシステム構成が考えられる。システム構成１は、二次元コード動画のデータと応募ＩＤの作成を、懸賞主催者サーバ装置で行う場合である。システム構成２は、両者の作成を、懸賞主催者サーバ装置とコード表示端末装置で分担する場合である。システム構成３は、両者の作成を、コード表示端末装置で行う場合である。更に、システム構成２の応用として、デジタル放送の例を説明する。
【００３０】
（システム構成１）
以下、図面等を参照しながら、本発明の実施の形態について、更に詳しく説明する。図１は、本発明によるシステム構成１の構成図（懸賞主催者サーバで二次元コード動画を生成する場合）の構成図である。懸賞主催者サーバ装置１０は、応募情報発行手段１１と、二次元コード動画生成手段１２と、重複応募防止手段１３と、抽選手段１４と、抽選結果返信手段１５と、記憶手段１６と、応募情報データベース更新手段１７とを備える。記憶手段１６は、応募情報データ・ベー ス１６ａと、当落判定情報データ・ベース１６ｂと、を記憶する。懸賞応募者端末装置２０は、二次元コード撮影手段２１と、二次元コード解析手段２２と、懸賞情報送信手段２３と、抽選結果受信手段２４と、を備える。コード表示端末装置３０は、応募通知手段３１と、二次元コード動画再生手段３２と、を備える。
【００３１】
応募情報発行手段１１は、前記コード表示端末装置３０に応募受付画面を送信して、この応募受付画面から返信された応募通知を受付けて、懸賞応募先ネットワークアドレス（たとえば、懸賞応募先ＵＲＬ）と応募識別記号（たとえば、応募ＩＤ）とから構成される応募情報を発行する。また、応募情報発行手段１１は、応募ＩＤを発行したときに、応募情報データベース１６ａに、応募ＩＤの状態情報を“有効”にして、登録する。二次元コード動画生成手段１２は、抽選に用いる当落コードを生成して、前記応募情報と組合せて二次元コード動画を生成して、送信する。重複応募防止手段１３は、応募ＩＤと当落コードとを含む応募リクエストを受信して、前記応募ＩＤを、前記応募情報データベース１６ａに保存されている応募ＩＤと照合して、同一の応募識別記号の状態情報が“有効”な応募ＩＤであることで、重複応募していないことを確認する。抽選手段１４は、状態情報が“有効”な応募ＩＤの当落コードを使って、当落判定情報データ・ベースを参照して、当落を判定して、抽選結果を作成する。抽選結果返信手段１５は、抽選結果を結果情報として懸賞応募者端末装置に返信する。応募情報データベース更新手段１７は、応募情報データベース１６ａに登録されている、状態情報が“有効”な応募ＩＤを、削除するか、または、“無効”な応募ＩＤに切り替えて、更新する。応募情報データ・ベース１６ａには、懸賞応募先ＵＲＬと応募者の応募ＩＤが記録されている。前記記録されている応募ＩＤは、状態情報を備える。当落判定情報データ・ベース１６ｂは、当選の当落コードを含む当選情報を保存している。二次元コード撮影手段２１は、前記再生された二次元コード動画を、任意のタイミングで、撮影する。二次元コード解析手段２２は、撮影した二次元コードを解析して、応募情報と当落コードを抽出する。懸賞情報送信手段２３は、応募情報に記述された懸賞応募先ネットワークアドレスにアクセスして、応募ＩＤと当落コードを含む応募リクエストを送信する。抽選結果受信手段２４は、抽選結果を受信する。応募通知手段３１は、応募者が、応募することを通知する。二次元コード動画再生手段３２は、二次元コード動画を表示する。
【００３２】
懸賞主催者サーバ装置１０は、ネットワーク接続されたコンピュータ・サーバである。懸賞応募者端末装置２０は、二次元コード動画を撮影するカメラを備えた携帯電話である。コード表示端末装置３０は、二次元コード動画を表示するディスプレー装置を備えたコンピュータ装置である。応募情報発行手段１１と、二次元コード動画生成手段１２と、重複応募防止手段１３と、抽選手段１４と、抽選結果返信手段１５と、記憶手段１６と、応募情報データベース更新手段１７と、二次元コード解析手段２２と、懸賞情報送信手段２３と、抽選結果受信手段２４と、応募通知手段３１と、二次元コード動画再生手段３２と、は、プログラムである。二次元コード撮影手段２１は、動画を撮影するカメラである。
【００３３】
図２は、本発明によるシステム構成１の装置間の通信手順の説明図（懸賞主催者サーバで二次元コード動画を生成する場合）説明図である。応募者は、懸賞主催者サーバ装置１０から受信した応募受付画面の応募通知手段３１を用いて、応募する（図２（ア））。懸賞主催者サーバ装置１０の応募情報発行手段１１は、 コード表示端末装置３０より応募を受付ける（同（イ））。応募情報発行手段１１は、応募情報（応募ＩＤと懸賞応募先ＵＲＬ）を発行する。応募ＩＤを応募情報データ・ベース１６ａに、記録して、状態情報を“有効”にする（同（ウ））。懸賞主催者サーバ装置１０の二次元コード動画生成手段１２は、当落コード（たとえば、抽選番号）を生成して、暗号化する（同（エ））。二次元コード動画生成手段１２は、 応募情報と当落コードを元に二次元コード動画を生成する（同（オ））。
【００３４】
コード表示端末装置３０の二次元コード動画再生手段３２は、二次元コード動画を表示する（同（カ））。
【００３５】
応募者９０は、懸賞応募者端末装置２０の二次元コード撮影手段２１を用いて、任意のタイミングで、二次元コード動画を、撮影する（同（キ）。懸賞応募者端末装置２０の二次元コード解析手段２２は、二次元コードを解析して、応募情報と当落コードを抽出する（同（ク））。懸賞応募者端末装置２０の懸賞情報送信手段２３は、応募情報に記述された懸賞応募先ＵＲＬにアクセスして、応募ＩＤと当落コードを送信する（同（ケ））。
【００３６】
懸賞主催者サーバ装置１０の重複応募防止手段１３は、応募ＩＤと当落コードを受信する（同（コ））。重複応募防止手段１３は、受信した応募ＩＤを、応募情報データベース１６ａに保存された応募ＩＤと照合して、同一の応募ＩＤが存在しないかをチェックして、重複応募されていないことを確認する。この時に、応募識別記号が登録されていなければ、登録する。（同（サ））。抽選手段１４は、当落コードを復号して、当落判定情報データ・ベース１６ｂの当選情報と比較して、当選落選を判定する（同（シ））。抽選手段１４は、当落を判定した抽選結果を作成する（同（ス））。抽選結果返信手段１５は、抽選結果を送信する（同（セ））。
【００３７】
懸賞応募者端末装置２０の抽選結果受信手段２４は、抽選結果を受信して、表示する（同（ソ））。
【００３８】
応募情報データベース更新手段は、応募ＩＤの状態情報を“無効”にする（同（タ））。    
【００３９】
図３は、本発明による応募情報データベースの詳細な説明図である。懸賞主催者サーバ装置１０の記憶手段１６で記憶されている応募情報データベース１６ａは、懸賞応募先ＵＲＬ４１ａと、保存された応募ＩＤ１６ｆとから構成される。懸賞応募先ＵＲＬ４１ａは、懸賞応募者端末装置２０が、応募のために、懸賞主催者サーバ装置１０にアクセスするためのＵＲＬである。応募ＩＤ１６ｆは、応募毎に、懸賞主催者サーバ装置１０が発行するユニークな識別文字列である。重複応募防止手段が、チェックの照合時に使用するので、発行した応募ＩＤ１６ｆを保存する。応募ＩＤ１６ｆは、状態情報１６ｇを備えていて、たとえば、“有効”や“無効”を表したり、応募回数を表す。
【００４０】
図４は、本発明による二次元コードに埋め込まれている懸賞情報の内容である。二次元コードに埋め込まれる懸賞情報４０は、応募情報４１と当落コード４２とから構成される。応募情報４１は、懸賞応募先ＵＲＬ４１ａと応募ＩＤ４１ｂとから構成される。懸賞応募先ＵＲＬ４１ａは、懸賞応募者端末装置２０が、応募のために、懸賞主催者サーバ装置１０にアクセスするためのＵＲＬである。応募ＩＤ４１ｂは、応募毎に、懸賞主催者サーバ装置１０が発行するユニークな識別文字列である。当落コード４２は、当選や落選を示す重要なコード情報であるので、暗号化されて、二次元コードに埋め込まれる。
【００４１】
図５は、本発明によるシステム構成１のフローチャート（懸賞主催者サーバで二次元コード動画を生成する場合）である。
（１）応募者は、コード表示端末装置３０の応募通知手段３１を用いて、応募する（ステ  ップＳ３０）。
（２）懸賞主催者サーバ装置１０の応募情報発行手段１１は、 コード表示端末装置３０  より応募を受付けて、応募ＩＤ４１ｂと懸賞応募先ＵＲＬ４１ａを組合わせて、応募情  報４１を発行する。同時に、発行した応募ＩＤ４１ｂを、応募情報データベース１６ａ  に保存する（ステップＳ３１）。ここで、懸賞応募先ＵＲＬ４１ａは、応募情報データ  ベース１６ａ（詳細説明は、図３を参照のこと。）から抽出する。また、応募ＩＤ４１  ｂは、ユニークな文字列で構成するために、たとえば、乱数発生関数を用いて生成する  。
（３）懸賞主催者サーバ装置１０の二次元コード動画生成手段１２は、当落コード４２を  生成する。（ステップＳ３２）。（当落コードの生成方法の詳細説明は、図６を参照の  こと。）この時に、当落コード４２を、暗号化しても良い。
（４）二次元コード動画生成手段１２は、 応募情報４１と当落コード４２を元に二次元  コード動画を生成する（ステップＳ３３）。（二次元コード動画の生成方法の詳細説明  は、図７を参照のこと。）
（５）コード表示端末装置３０の二次元コード動画再生手段３２は、二次元コード動画を  表示する（ステップＳ３４）。
（６）応募者は、懸賞応募者端末装置２０の二次元コード撮影手段２１を用いて、任意の  タイミングで、二次元コード動画を、撮影する（ステップＳ３５）。
（７）懸賞応募者端末装置２０の二次元コード解析手段２２は、二次元コードを解析して  、応募情報と当落コードを抽出する（ステップＳ３６）。
（８）懸賞応募者端末装置２０の懸賞情報送信手段２３は、応募情報４１に記述された懸  賞応募先ＵＲＬ４１ａにアクセスして、応募ＩＤ４１ｂと当落コード４２を送信して、  懸賞主催者サーバ装置１０の重複応募防止手段１３は、これを受信する（ステップＳ３  ７）。
（９）重複応募防止手段１３は、受信した応募ＩＤ４１ｂを、応募情報データベース１６  ａに保存された応募ＩＤ４１ｂと照合して、同一の応募ＩＤ４１ｂが“有効”な応募Ｉ  Ｄであるかをチェックする（ステップＳ３８）。応募ＩＤ４１ｂが“有効”であれば、  重複応募していないので、次のステップに進む。応募ＩＤ４１ｂが“無効”であれば、  “無効”のメッセージを、抽選結果として送信して（ステップＳ３９ａ）、（１２）に  進む。
（１０）懸賞主催者サーバ装置１０の抽選手段１４は、当落コード４２が暗号化されてい  れば復号して、当落判定情報データ・ベース１６ｂの当選情報と比較して、当選落選を  判定して、抽選結果を作成して、抽選結果返信手段１５は、抽選結果を返信する。（ス  テップＳ３９ｂ）
（１１）応募情報データベース更新手段１７は、応募情報データベース１６ａに保存され  ている、抽選した応募ＩＤの状態情報を“無効”にして更新する。（ステップＳ３９ｃ  ）
（１２）懸賞応募者端末装置２０の抽選結果受信手段２４は、抽選結果を受信して、表示  する（ステップＳ３９ｄ）。
（１３）終了する。
【００４２】
なお、以上の説明では、（１１）において、応募情報データベース更新手段１７が、応募ＩＤの状態情報を“有効”から、“無効”に切り替える手順を示したが、代わりに、応募情報データベース更新手段１７が、抽選済みの応募ＩＤを、応募情報データベース１６ａから、削除しても良い。
【００４３】
また、応募ＩＤを含まない応募情報で、二次元コードを作成して抽選しても良く、その時には、（８）では、懸賞情報送信手段２３は、応募情報４１に記述された懸賞応募先ＵＲＬ４１ａにアクセスして、当落コード４２を送信して、抽選手段１４が、当落コード４２を、受信して、（９）をスキップする。
【００４４】
当落コード４２の暗号化が不要の場合は、二次元コード動画生成手段１２は、（３）において、当落コード４２の暗号化を行わない。したがって、抽選手段１４は、（１０）において、当落コード４２に対して、暗号の復号を行う必要は無い。
【００４５】
図６は、本発明による二次元コード生成の詳細なフローチャート（１００個のうちの１個が当選の二次元コードを生成する例）である。１００個のうちの１個が当選となる二次元コード（図７を参照のこと）を生成する例で説明する。
（１）応募ＩＤ４１ｂと懸賞応募先ＵＲＬ４１ａを組みあわせて、応募情報４１を作成す  る（ステップＳ５０）。
（２）当選の当落コード４２を１個生成する（ステップＳ５１）。
（３）落選の当落コード４２を９９個生成する（ステップＳ５２）。
（４）生成した当落コード４２を暗号化する（ステップＳ５３）。
（５） １００個の暗号化した当落コード４２にそれぞれ、応募情報４１を組みあわせて  、当選の二次元コード５０ａを１個と落選の二次元コード５０ｂを９９個作成する（ス  テップＳ５４）。
（６）１００個の二次元コード５１を二次元コード動画５２に作成する（ステップＳ５５）。
【００４６】
図７は、本発明による二次元コード動画の例（１００個のうちの１個が当選の二次元コードで構成する例）である。“当りの当落コード”と懸賞応募先ＵＲＬと応募ＩＤとから、当選用の二次元コード５０ａを１個生成する。同時に、“外れの当落コード”と懸賞応募先ＵＲＬと応募ＩＤとから、落選用の二次元コード５０ｂを９９個生成する。次に、両者を合わせて、当りが１個混ざった１００個の二次元コード５１を作成する。最後に、１００個の静止画二次元コードで構成する二次元コード動画５２を作成する。このムービーは、時間軸に沿って、二次元コード画像が動的に変化するもので、フラッシュ（インターネットアドイン用プログラム、Macromedia商標）、ＧＩＦアニメ（インターネットブラウザ用）、メディアプレーヤ（動画再生用プログラム、Microsoft商標）、ＭＮＧアニメ（デジタルＴＶ放送用）などの形式で作成する。
【００４７】
（システム構成２）
図８は、本発明によるシステム構成２の構成図（懸賞主催者サーバでからＩＤを生成して、コード表示端末で二次元コード動画を生成する場合である。懸賞主催者サーバ装置１０は、応募情報発行手段１１と、重複応募防止手段１３と、抽選手段１４と、抽選結果返信手段１５と、記憶手段１６と、応募情報データベース更新手段１７とを備える。記憶手段１６は、応募情報データ・ベー ス１６ａと、当落判定情報データ・ベース１６ｂと、を記憶する。応募者端末装置２０の備える手段は、図１と同一である。コード表示端末装置３０は、応募通知手段３１と、二次元コード動画再生手段３２と、二次元コード動画生成手段３３と、を備える。
【００４８】
二次元コード動画生成手段３３は、抽選に用いる当落コードを生成して、応募情報発行手段１１が発行した応募情報と組合せて二次元コード動画を生成する。
その他の段との働きは、図１と同一である。
【００４９】
二次元コード動画再生手段３２は、プログラムである。
その他の手段の実現方法は、図１と同一である。
【００５０】
図９は、発明によるシステム構成２の装置間の通信手順の説明図である。図９の（ア）から（ウ）までは、図２と同じである。コード表示端末装置３０の二次元コード動画生成手段１２は、当落コード４２を生成して、暗号化する（同（エ））。二次元コード動画生成手段１２は、 応募情報と当落コード４２を元に二次元コード動画５２を生成する（同（オ））。図９の（カ）から（ソ）までは、図２と同じである。
【００５１】
図１０は、本発明によるシステム構成２のフローチャート（懸賞主催者サーバでＩＤを生成して、コード表示端末で二次元コード動画を生成する場合）である。
（１）から（２）までは、図５と同じである。
（３）コード表示端末装置３０の二次元コード動画生成手段１２は、当落コード４２を生  成して、暗号化する（ステップＳ６２）。（当落コードの生成方法の詳細説明は、図６  を参照のこと。）
（４）二次元コード動画生成手段１２は、 応募情報４１と当落コード４２を元に二次元  コード動画５２を生成する（ステップＳ６３）。（二次元コード動画の生成方法の詳細  説明は、図７を参照のこと。）
（５）から（１３）までは、図５と同じである。
【００５２】
（システム構成３）
図１１は、本発明によるシステム構成３の構成図（コード表示端末でＩＤと二次元コード動画を生成する場合）である。懸賞主催者サーバ装置１０は、重複応募防止手段１３と、抽選手段１４と、抽選結果返信手段１５と、記憶手段１６と、応募情報データベース更新手段１７とを備える。記憶手段１６は、応募情報データ・ベー ス１６ａと、当落判定情報データ・ベース１６ｂと、を記憶する。応募者端末装置２０は、図８の同一である。コード表示端末装置３０は、応募通知手段３１と、二次元コード動画再生手段３２と、二次元コード動画生成手段３３と、応募情報発行手段３４と、を備える。
【００５３】
応募情報発行手段３４は、応募受付画面からの応募通知を受付けて、懸賞応募先ネットワークアドレス（たとえば、懸賞応募先ＵＲＬ）と応募識別記号（たとえば、応募ＩＤ）とから構成される応募情報を発行する。その他の手段の働きは、図８と同一である。
【００５４】
応募情報発行手段３４は、プログラムである。
その他の手段の実現方法は、図８と同一である。
【００５５】
図１２は、本発明によるシステム構成３の装置間の通信手順の説明図（コード表示端末でＩＤと二次元コード動画を生成する場合）である。図１２の（ア）は、図９と同じである。コード表示端末装置３０の応募情報発行手段１１は、 コード表示端末装置３０より応募を受付ける（同（イ））。応募情報発行手段１１は、応募情報（応募ＩＤと懸賞応募先ＵＲＬ）を発行する（同（ウ））。図１２の（エ）から（ソ）までは、図９と同じである。
【００５６】
図１３は、本発明によるシステム構成３のフローチャート（コード表示端末でＩＤと二次元コード動画を生成する場合）である。
（１）は、図１０と同じである。
（２）コード表示端末装置３０の応募情報発行手段１１は、 コード表示端末装置３０よ  り応募を受付けて、応募ＩＤ４１ｂと懸賞応募先ＵＲＬ４１ａを組合わせて、応募情報  ４１を発行する（ステップＳ７１）。同時に、発行した応募ＩＤ４１ｂを、応募情報デ  ータベース１６ａに保存する。ここで、懸賞応募先ＵＲＬ４１ａは、応募情報データベ  ース１６ａ（詳細説明は、図３を参照のこと。）から抽出する。また、応募ＩＤ４１ｂ  は、ユニークな文字列で構成するために、たとえば、乱数発生関数を用いて生成する。  
（３）から（１３）までは、図１０と同じである。
【００５７】
図１４は、本発明によるコード表示端末装置３０の画面例である。ディスプレイに、“応募受付中！ボタンを押してください。”と表示中の画面は、応募を受付中であるの応募画面８１である。応募受付ボタン８１ａを押すと、二次元コード動画表示画面８２に画面が切り替わる。
【００５８】
図１５は、本発明による装置構成例である。キャンペーン会場に設置したディスプレー８３に二次元コード動画が表示されるので、携帯電話８４で、二次元コードを撮影して、キャンペーン懸賞に応募する事例である。
【００５９】
（デジタル放送）
図１６は、本発明によるＴＶデジタル放送における事例である。この事例では、システム構成１の懸賞主催者サーバ装置の機能を、放送送出設備８５と、通信コンテンツ生成サーバ８７と、懸賞抽選サーバ装置８８とに分散して構成している。コード表示端末装置の機能は、デジタル受信チューナ８６が構成する。以下の通信手順で、懸賞に参加する。
（１）放送送出設備８５は、通信コンテンツ生成サーバ８７のＵＲＬを含むをデータで、  懸賞応募画面をＢＭＬ形式（Broadband Markup Language＝デジタル放送用画面記述言  語）で作成して、放送波により送出する（図１６（ア））。
（２）視聴者がリモコン操作すると、デジタル受信チューナ８６は、放送波で受信した懸  賞応募画面をテレビに表示する（同（イ））。
（３）懸賞応募画面の登録実行ボタンを押すことで、デジタル受信チューナー８６は、Ｂ  ＭＬ中のスクリプトプログラムにより、受信チューナーに備え付けのＢ−ＣＡＳカード  番号（=応募ＩＤ）を動的に取得し、通信コンテンツ生成サーバ８７へ、Ｂ−ＣＡＳカ  ード番号を含めた応募情報を送信する（同（ウ））。
（４）通信コンテンツ生成サーバ８７は、応募情報を受信する（同（エ））。
（５）通信コンテンツ生成サーバ８７は、受信チューナ固有番号を、懸賞抽選サーバ装置  ８８に送って、重複応募のチェックをさせる（同（オ））。
（６）通信コンテンツ生成サーバ８７は、受信チューナ固有番号、懸賞主催者サーバＵＲ  Ｌ、当落コードを元に複数枚で構成されたＱＲコードにして、ＢＭＬページ上で動作す  るＭＮＧ（Multiple-image Network Graphics）アニメーションを、動的に生成する（  同（カ））。
（７）デジタル受信チューナ８６は、このＢＭＬページを用いて、ＱＲコードのＭＮＧア  ニメーションを、テレビに再生表示する（同（キ））。
（８）応募者（＝視聴者）は、携帯電話により、ＱＲコードを撮影して、応募する（同（ク））。
（９）懸賞抽選サーバ装置８８は、抽選結果を携帯電話に送信する（同（ケ））。
【００６０】
図１７は、本発明による３回抽選できる例である。以下の操作手順で、懸賞応募に参加する。
（１）１枚の当りを含めた、１００枚の二次元コード動画くじ８３を表示する（図１７（  ア）。
（２）携帯電話８４を用いて、任意のタイミングで３回まで撮影できる（同（イ））。
（３）携帯電話８４は、１回目の撮影をして、送信する（同（ウ））。
（４）携帯電話８４は、１回目の抽選結果を受信する（同（エ））。
（５）１回目の抽選結果が、当選であれば、応募が終了する。落選であれば、２回目の撮  影をする（同（オ））。
（６）懸賞主催者サーバ装置８３ａは、３回までに当選したら、応募を終了する（同（カ））。
（７）懸賞主催者サーバ装置８３ａは、応募者が、当選しなくても、４回目は、応募させ  ない（同（キ））。
【００６１】
以上詳しく説明したように、本願発明によれば、懸賞への応募に当っては、二次元コードくじの束の中から、抽選に応募する籤（くじ）を応募者が選べることで、応募の動機付けを高めて、応募率を向上することができて、商品の販売促進や消費者分析の情報収集に寄与することが出来た。
【図面の簡単な説明】
【００６２】
【図１】本発明によるシステム構成１の構成図        （懸賞主催者サーバで二次元コード動画を生成する場合）
【図２】本発明によるシステム構成１の装置間の通信手順の説明図        （懸賞主催者サーバで二次元コード動画を生成する場合）
【図３】本発明による応募情報データベースの詳細な説明図
【図４】本発明による懸賞情報の構成
【図５】本発明によるシステム構成１のフローチャート        （懸賞主催者サーバで二次元コード動画を生成する場合）
【図６】本発明による二次元コード生成の詳細なフローチャート        （１００個のうちの１個が当選の二次元コードを生成する例）
【図７】本発明による二次元コード動画の例         （１００個のうちの１個が当選の二次元コードで構成する例）
【図８】本発明によるシステム構成２の構成図        （懸賞主催者サーバでからＩＤを生成して、コード表示端末で二次元コード動画        を生成する場合）
【図９】発明によるシステム構成２の装置間の通信手順の説明図        （懸賞主催者サーバでＩＤを生成して、コード表示端末で二次元コード動画を生        成する場合）
【図１０】本発明によるシステム構成２のフローチャート          （懸賞主催者サーバでＩＤを生成して、コード表示端末で二次元コード動画を            生成する場合）
【図１１】本発明によるシステム構成３の構成図          （コード表示端末でＩＤと二次元コード動画を生成する場合）
【図１２】本発明によるシステム構成３の装置間の通信手順の説明図          （コード表示端末でＩＤと二次元コード動画を生成する場合）
【図１３】本発明によるシステム構成３のフローチャート          （コード表示端末でＩＤと二次元コード動画を生成する場合）
【図１４】本発明によるコード表示端末装置の画面例
【図１５】本発明による装置構成例
【図１６】本発明によるＴＶデジタル放送における事例
【図１７】本発明による３回抽選できる例
【図１８】本発明による方法１のフローチャート          （懸賞主催者サーバで二次元コード動画を生成する場合）
【図１９】本発明による方法２のフローチャート          （懸賞主催者サーバで二次元コード動画を生成する場合）
【符号の説明】
【００６３】
１０  懸賞主催者サーバ装置
１１、３４  応募情報発行手段
１２、３３  二次元コード動画生成手段
１３  重複応募防止手段
１４  抽選手段
１６  記憶手段
１６ａ  応募情報データ・ベース
１６ｂ  当落判定情報データ・ベース
１６ｆ  保存された応募ＩＤ
１６ｇ  状態情報
２０  懸賞応募者端末装置
２１  二次元コード撮影手段
２２  二次元コード解析手段
２３  懸賞情報送信手段
２４  抽選結果受信手段
３０  コード表示端末装置
３１  応募通知手段
３２  二次元コード動画再生手段
４０  懸賞情報
４１  応募情報
４１ａ  懸賞応募先ＵＲＬ
４１ｂ  懸賞ＩＤ
４２  当落コード
５０ａ  当選用の二次元コード
５０ｂ  落選用の二次元コード
５１  当りが１個混ざった１００個の二次元コード
５２  １００個の静止画二次元コードで構成する二次元コード動画
８１  応募画面
８１ａ  応募受付ボタン
８２  二次元コード動画表示画面
８３  キャンペーン会場ディスプレー
８４  携帯電話
８５  放送送出設備
８６  デジタル受信チューナ
８７  通信コンテンツ生成サーバ
８８  懸賞抽選サーバ装置
９０  応募者
【図１】
2006106913.tif 000003
【図２】
2006106913.tif 000004
【図３】
2006106913.tif 000005
【図４】
2006106913.tif 000006
【図５】
2006106913.tif 000007
【図６】
2006106913.tif 000008
【図７】
2006106913.tif 000009
【図８】
2006106913.tif 000010
【図９】
2006106913.tif 000011
【図１０】
2006106913.tif 000012
【図１１】
2006106913.tif 000013
【図１２】
2006106913.tif 000014
【図１３】
2006106913.tif 000015
【図１４】
2006106913.tif 000016
【図１５】
2006106913.tif 000017
【図１６】
2006106913.tif 000018
【図１７】
2006106913.tif 000019
【図１８】
2006106913.tif 000020
【図１９】
2006106913.tif 000021